(57)【特許請求の範囲】
【請求項１】
給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器において、浴槽への注水を行う注水機能と、浴槽への注水後にバーナを燃焼させないで循環ポンプを駆動し追い焚き循環通路を通して浴槽湯水を循環し浴槽湯水を撹拌する撹拌制御部と、この撹拌制御部による浴槽湯水の撹拌動作中にバーナを燃焼しての給湯運転の割り込み指令が加えられたときには前記撹拌制御部による浴槽湯水の循環動作を中止又は少なくとも給湯運転の割り込み動作が終了するまで待機させる撹拌停止制御部とを有する一缶二水路複合器。
【請求項２】
給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器において、追い焚き循環通路には循環水流を検出してその検出信号を出力する水流検出センサが設けられ、また、バーナを燃焼させないで循環ポンプを駆動し追い焚き循環通路を通して浴槽湯水を循環し浴槽湯水を撹拌する撹拌制御部と、この撹拌制御部による浴槽湯水の撹拌動作にもかかわらず、水流検出センサから水流検出信号が出力されていない状態のときにバーナを燃焼しての給湯運転の割り込み指令が加えられたときには前記撹拌制御部による浴槽湯水の循環動作を中止又は少なくとも給湯運転の割り込み動作が終了するまで待機させる撹拌停止制御部とを有する一缶二水路複合器。
【請求項３】
追い焚き熱交換器内湯水温度を直接的又は間接的に検出する温度センサと、給湯運転の割り込み動作が終了したときに燃焼ファンの駆動により追い焚き熱交換器を強制空冷し前記温度センサによる追い焚き熱交換器内湯水検出温度が予め与えられる判定基準温度以下に低下したときに待機解除信号を出力する待機期間設定部とを備え、撹拌停止制御部は撹拌制御部による浴槽湯水の撹拌動作中にバーナを燃焼しての給湯運転の割り込み指令が加えられたときには前記撹拌制御部による浴槽湯水の循環動作を前記待機期間設定部から待機解除信号が加えられるまで待機させる構成とした請求項１又は請求項２記載の一缶二水路複合器。
【請求項４】
給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器の制御方法において、浴槽への注水後にバーナを燃焼させないで循環ポンプを駆動し追い焚き循環通路を通して浴槽湯水を循環させて浴槽湯水を撹拌する機能を持たせておき、浴槽への注水後の浴槽湯水の循環撹拌中にバーナを燃焼しての給湯運転の割り込み指令が加えられたときには循環ポンプを停止して浴槽湯水循環撹拌動作を中止又は少なくとも給湯運転の割り込み動作が終了するまで待機させる一缶二水路複合器の制御方法。
【請求項５】
給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器の制御方法において、浴槽への注水後にバーナを燃焼させないで循環ポンプを駆動し追い焚き循環通路を通して浴槽湯水を循環させて浴槽湯水を撹拌する機能を持たせておき、循環ポンプを駆動して浴槽湯水の循環撹拌動作をしているにもかかわらず追い焚き循環通路に設けた水流検出センサから水流検出信号が得られない状態のときにバーナを燃焼しての給湯運転の割り込み指令が加えられたときには循環ポンプを停止して浴槽湯水循環撹拌動作を中止又は少なくとも給湯運転の割り込み動作が終了するまで待機させる一缶二水路複合器の制御方法。
【発明の詳細な説明】
【０００１】
【発明の属する技術分野】
本発明は、風呂の追い焚き機能と風呂の保温機能と給湯機能を備えた一缶二水路複合器およびその制御方法に関するものである。
【０００２】
【従来の技術】
図２には出願人が開発している一缶二水路複合器のシステム構成が示されている。同図において、器具ケース１内には給湯熱交換器２と追い焚き熱交換器３とが一体化されて配設されている。すなわち、複数の共通のフィンプレート４に給湯側の管路を貫通装着して給湯熱交換器２と成し、同じくフィンプレート４に追い焚き側の管路を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６が下側に配置されている。バーナ５にはガス通路９が接続されており、このガス通路９には通路の開閉を行う電磁弁７，８とガスの供給量（バーナの燃焼熱量）を開弁量によって制御する比例弁10が介設されている。なお、前記比例弁10の開弁量制御は、具体的には、比例弁10に印加される電流（開弁駆動電流）の可変制御によって行われている。
【０００４】
前記給湯熱交換器２の入側には給水管11が接続されており、この給水管11には給水温度を検出する給水温度検出センサ12と、給水流量（湯張りの場合には湯張り流量）を検出する流量検出センサ13が設けられている。なお、給水管11の入口側は水道管に接続されている。
【０００５】
前記給湯熱交換器２の出側には給湯管14が接続されており、この給湯管14は外部配管を介して台所等の所望の給湯場所に導かれている。前記給湯熱交換器２の出側の流路には給湯温度を検出する給湯温度センサ15が設けられている。
【０００６】
前記追い焚き熱交換器３の入側には管路16の一端側が接続され、管路16の他端側は循環ポンプ17の吐出側に接続されている。そして、循環ポンプ17の吸込側と浴槽18は戻り管20によって接続されており、この戻り管20には浴槽18の循環湯水の温度を風呂温度として検出する風呂温度センサ21と循環水流を検出する水流センサ19が設けられている。前記追い焚き熱交換器３の出側には往管22の一端側が接続され、往管22の他端側は浴槽18に接続されており、浴槽18から戻り管20を介して循環ポンプ17、管路16、追い焚き熱交換器３および往管22を介して浴槽18に至る通路は追い焚き循環通路23を構成している。
【０００７】
前記給湯熱交換器２の給湯管１４は給湯通路として機能し、この給湯管１４と追い焚き循環通路２３（図２においては管路１６）は湯張り通路２４によって連通接続されており、この湯張り通路２４には通路の開閉を行う電磁弁等により構成される注湯弁２５が介設され、この注湯弁２５の下流側の湯張り通路２４には浴槽１８の水位を水圧によって検出する水位センサ（圧力センサ）２６が設けられている。
【０００８】
前記流量検出センサ13、温度センサ12，15，21、水流センサ19、水位センサ26等のセンサ検出信号は制御装置27に加えられており、この制御装置27にはリモコン28が接続されている。このリモコン28には給湯温度を設定する給湯温度設定手段や、風呂温度を設定する風呂温度設定手段や、湯張り運転を指令するボタンや、必要な情報を表示する表示部等が設けられている。
【０００９】
前記制御装置27は各種センサ検出信号とリモコン28の情報を取り込み、内部に与えられているシーケンスプログラムに従い、給湯運転と、湯張り運転と、追い焚き運転と、保温運転を次のように制御する。
【００１０】
例えば、台所等に導かれた給湯通路の水栓30が開けられ、流量検出センサ13により作動流量が検出されると、燃焼ファン６の回転が行われ、電磁弁７，８の開動作が行われてバーナ５に燃料ガスが供給されると共に、図示されていない点着火手段によりバーナ５の燃焼が行われ、給湯温度センサ15で検出される給湯温度がリモコン28で設定される給湯設定温度に一致するように比例弁10への開弁駆動電流を制御し、給湯熱交換器２を通る水をバーナ５の火炎により加熱して設定温度の湯を作り出し、この湯を給湯管14を介して給湯場所へ給湯する。
【００１１】
そして、水栓30が閉められて、流量検出センサ13からオフ信号が出力されたときに、バーナ燃焼を停止し、給湯運転モードの動作を終了する。
【００１２】
また、リモコン28により湯張り運転モードが指令されると、注湯弁25が開けられる。そして、流量検出センサ13により作動流量が検出されると、給湯運転の場合と同様にバーナ５の燃焼が開始し、給湯熱交換器２で作り出された湯は給湯管14、湯張り通路24を通り、さらに分岐して管路16から追い焚き熱交換器３を経て往管22を通る通路と戻り管20を通る通路の両側から浴槽18に湯が落とし込まれる。そして、設定水位までの湯の水量が落とし込まれたとき、又は水位センサ26により設定水位が検出されたときに注湯電磁弁25が閉じられバーナ５の燃焼が停止して湯張り運転モードの動作が終了する。
【００１３】
追い焚き運転モードの動作においては、前記湯張りの動作の終了後、注湯弁25が閉じられている状態で、循環ポンプ17が回転駆動され、浴槽18内の湯水の循環が追い焚き循環通路23を介して行われ、風呂温度センサ21により浴槽の風呂温度が検出される。そして、風呂検出温度が風呂設定温度よりも低いときには、水流センサ19により水流が検出されていることを確認してバーナ５の燃焼が行われ、追い焚き循環通路23を通して循環する浴槽湯水を追い焚き熱交換器３で加熱する。風呂温度センサ21により浴槽湯水の温度が風呂設定温度に達したことが検出されたときに、循環ポンプ17の停止とバーナ５の燃焼停止が行われて追い焚き運転モードの動作が終了し、次の保温モードの動作に移行する。
【００１４】
保温モードの動作では、その保温モードの期間（例えば30分）の間、所定の例えば数分経過する毎に循環ポンプ17を駆動して浴槽湯水を追い焚き循環通路23を通して循環し、風呂温度センサ21により浴槽湯水の温度を検出する。そして、浴槽湯水の湯温が風呂設定温度に対し許容範囲を越えて低下したときには、バーナ５を燃焼させ、追い焚き熱交換器３により循環湯水を加熱して追い焚きを行い、浴槽湯温を風呂設定温度に維持する。
【００１５】
また、浴槽18から湯が汲み出される等して、浴槽水位が設定水位よりも許容範囲を越えて低下したときには、給湯熱交換器２側から足し湯が落とし込まれ、浴槽水位が設定水位に維持されると共に、足し湯の注水後、循環ポンプ17を駆動して浴槽湯水を追い焚き循環通路23を通して循環させて浴槽湯水の撹拌（撹拌混合）が行われる。
【００１６】
また、浴槽湯温が風呂設定温度よりも許容範囲を越えて高いときや、風呂設定温度がリモコン28等により低めの温度に変更されたときには、注湯弁25を開けて、給湯熱交換器２側から加熱されない冷水が所定量（浴槽湯温を変更後の風呂設定温度にするために必要な水量）注水され、次に、循環ポンプ17を駆動して浴槽湯水の撹拌が行われる。
【００１７】
同様に、風呂設定温度が高めに変更されたときには、給湯熱交換器２側から温度の高い差し湯が落とし込まれるか、あるいは追い焚きが行われる。なお、差し湯が落とし込まれたときには、循環ポンプ17を駆動して浴槽湯水の撹拌が行われる。
【００１８】
上記の如く、一缶二水路複合器は、共通のバーナ５を用いて一体化された給湯熱交換器２と追い焚き熱交換器３を加熱する方式なので、別体に設けられた給湯熱交換器と追い焚き熱交換器をそれぞれ別個のバーナを用いて燃焼加熱する方式に比べ、装置構成の簡易化が図れ、これに伴い、装置（器具）の小型化とコスト低減が図れることになる。
【００１９】
【発明が解決しようとする課題】
しかしながら、この種の一缶二水路複合器においては、バーナ５を燃焼させないで循環ポンプ17を駆動して、注水後の浴槽湯水の循環撹拌を行っているときに、バーナ５を燃焼しての給湯運転の割り込み指令がされたときには、バーナ５の燃焼が行われて、給湯熱交換器２および追い焚き熱交換器３が共に燃焼加熱されるために、例えば、浴槽に冷水を注水して浴槽水湯温を下げるための循環撹拌を行おうとしているのに、浴槽湯水がバーナ５の燃焼により加熱された追い焚き熱交換器２を通過するため、追い焚きがされてしまい、せっかく冷水を注水して浴槽湯温を下げようとしているにもかかわらず、追い焚き加熱により浴槽湯温が上昇してしまうという問題があった。
【００２０】
また、足し湯をしてバーナ５の非燃焼状態で循環ポンプ17を駆動して浴槽湯水を循環撹拌している途中で、給湯運転の割り込み指令がされてバーナ燃焼が行われた場合には、循環撹拌の浴槽湯水は追い焚き熱交換器３を通るときに追い焚きされてしまうので、同様に、浴槽湯温が上がり過ぎてしまうという問題があった。
【００２１】
また、保温モードの動作等において、バーナ５の非燃焼状態で、浴槽湯水の温度を検出するために、循環ポンプ17を駆動して浴槽水の循環撹拌を行っている途中で、給湯運転の割り込み指令が出されてバーナ５の燃焼が行われると、同様に、浴槽湯水が追い焚き熱交換器３を通るときに追い焚き加熱されて、浴槽水湯温が上昇してしまうという問題が生じる。
【００２２】
さらに、追い焚き循環通路23の循環口が水没するぎりぎりの浴槽水位の状態で、浴槽湯水の撹拌や浴槽湯水の湯温検出のために、バーナ５を非燃焼状態で循環ポンプ17を駆動して循環撹拌を行った場合には、追い焚き循環通路23の循環口から空気が混入する等して、浴槽水の正常な循環が行われず、極めて少量の湯水しか循環されない状態となる。このように正常な浴槽水循環が行われていない状態で、バーナ５を燃焼しての給湯運転の割り込み指令が出されてバーナ５の燃焼加熱が行われると、極めて少量の循環湯水が追い焚き熱交換器２を通るときに異常に加熱され、極端な場合には沸騰寸前の高温になって浴槽内に入り込むため、浴槽に入浴している者がその高温に触れて火傷を負うという危険がある。
【００２３】
本発明は上記課題を解決するためになされたものであり、その目的は、浴槽湯水の循環撹拌中に、給湯運転の割り込み指令が出されてバーナの燃焼加熱が行われても、不必要な浴槽湯水の追い焚きが行われたり、少量の湯水循環が行われている状態で追い焚きが行われて高温の湯が浴槽内に入り込むという危険を防止することができる一缶二水路複合器およびその制御方法を提供することにある。
【００２４】
【課題を解決するための手段】
本発明は上記目的を達成するために、次のような手段を講じている。すなわち、一缶二水路複合器の第１の発明は、給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器において、浴槽への注水を行う注水機能と、浴槽への注水後にバーナを燃焼させないで循環ポンプを駆動し追い焚き循環通路を通して浴槽湯水を循環し浴槽湯水を撹拌する撹拌制御部と、この撹拌制御部による浴槽湯水の撹拌動作中にバーナを燃焼しての給湯運転の割り込み指令が加えられたときには前記撹拌制御部による浴槽湯水の循環動作を中止又は少なくとも給湯運転の割り込み動作が終了するまで待機させる撹拌停止制御部とを有する構成をもって課題を解決する手段としている。
【００２５】
一缶二水路複合器の第２の発明は、給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器において、追い焚き循環通路には循環水流を検出してその検出信号を出力する水流検出センサが設けられ、また、バーナを燃焼させないで循環ポンプを駆動し追い焚き循環通路を通して浴槽湯水を循環し浴槽湯水を撹拌する撹拌制御部と、この撹拌制御部による浴槽湯水の撹拌動作にもかかわらず、水流検出センサから水流検出信号が出力されていない状態のときにバーナを燃焼しての給湯運転の割り込み指令が加えられたときには前記撹拌制御部による浴槽湯水の循環動作を中止又は少なくとも給湯運転の割り込み動作が終了するまで待機させる撹拌停止制御部とを有する構成をもって課題を解決する手段としている。
【００２６】
さらに、一缶二水路複合器の第３の発明は、前記第１又は第２の発明の構成のもとで、追い焚き熱交換器内湯水温度を直接的又は間接的に検出する温度センサと、給湯運転の割り込み動作が終了したときに燃焼ファンの駆動により追い焚き熱交換器を強制空冷し前記温度センサによる追い焚き熱交換器内湯水検出温度が予め与えられる判定基準温度以下に低下したときに待機解除信号を出力する待機期間設定部とを備え、撹拌停止制御部は撹拌制御部による浴槽湯水の撹拌動作中にバーナを燃焼しての給湯運転の割り込み指令が加えられたときには前記撹拌制御部による浴槽湯水の循環動作を前記待機期間設定部から待機解除信号が加えられるまで待機させる構成としたことをもって課題を解決する手段としている。
【００２７】
一缶二水路複合器の制御方法の第１の発明は、給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器の制御方法において、浴槽への注水後にバーナを燃焼させないで循環ポンプを駆動し追い焚き循環通路を通して浴槽湯水を循環させて浴槽湯水を撹拌する機能を持たせておき、浴槽への注水後の浴槽湯水の循環撹拌中にバーナを燃焼しての給湯運転の割り込み指令が加えられたときには循環ポンプを停止して浴槽湯水循環撹拌動作を中止又は少なくとも給湯運転の割り込み動作が終了するまで待機させる構成をもって課題を解決する手段としている。
【００２８】
さらに、一缶二水路複合器の制御方法の第２の発明は、給水通路から供給される水を加熱して給湯通路へ送出する給湯熱交換器と、循環ポンプを備えた浴槽湯水の追い焚き循環通路に組み込まれ循環ポンプの駆動によって循環する循環湯水の追い焚きを行う追い焚き熱交換器とが一体化され、この一体化された給湯熱交換器と追い焚き熱交換器を燃焼ファンにより供給される空気を利用し共通のバーナによって燃焼加熱する方式の一缶二水路複合器の制御方法において、浴槽への注水後にバーナを燃焼させないで循環ポンプを駆動し追い焚き循環通路を通して浴槽湯水を循環させて浴槽湯水を撹拌する機能を持たせておき、循環ポンプを駆動して浴槽湯水の循環撹拌動作をしているにもかかわらず追い焚き循環通路に設けた水流検出センサから水流検出信号が得られない状態のときにバーナを燃焼しての給湯運転の割り込み指令が加えられたときには循環ポンプを停止して浴槽湯水循環撹拌動作を中止又は少なくとも給湯運転の割り込み動作が終了するまで待機させる構成をもって課題を解決する手段としている。
【００２９】
上記構成の発明において、浴槽への注水後に、循環ポンプを駆動し浴槽湯水を追い焚き循環通路を通してバーナの非燃焼状態で循環撹拌している途中で、あるいは浴槽湯温を検出するために、バーナの非燃焼状態で循環ポンプを駆動し、浴槽湯水を追い焚き循環通路を通して循環撹拌している途中で、バーナを燃焼しての給湯運転の割り込み指令が加えられたときには、浴槽湯水の循環撹拌動作が停止されるので、給湯のバーナ燃焼により加熱された追い焚き熱交換器を通水して浴槽湯水が追い焚きされるということが防止され、浴槽湯温がこの追い焚き熱交換器での追い焚き加熱によって上昇してしまったり、追い焚き熱交換器での追い焚きにより高温の湯が浴槽側に入り込むという危険を確実に防止でき、目的とする課題解決が達成される。
【００３０】
【発明の実施の形態】
以下、本発明の実施形態例を図面に基づいて説明する。図１には本発明の第１実施形態例の要部を示すブロック構成が実線を用いて示されている。なお、この第１実施形態例の一缶二水路複合器のシステム構成は追い焚き熱交換器３内の湯温を検出する温度センサ29を設けた以外は前記図２に実線で示すシステムと同様であり、同一構成部分には同一符号を付し、その重複説明は省略する。
【００３１】
第１実施形態例において特徴的なことは、浴槽への冷水や足し湯の注水後にバーナ５の非燃焼状態で循環ポンプ17を駆動して浴槽湯水の循環撹拌を行っている途中で、バーナ５を燃焼しての給湯運転の割り込み指令がされたとき（この割り込み指令は例えば、水栓30が開けられることにより給湯熱交換器２を通る通水が流量検出センサ13により検出されたときに出される）、追い焚き循環通路を循環する浴槽湯水がこの給湯燃焼の火力でもって追い焚きされることがない特有な制御構成を制御装置27に設けたことである。
【００３２】
この特有な構成を含む制御装置27は、給湯運転制御部31と、湯張り運転制御部32と、追い焚き運転制御部33と、注水制御部35を含む保温制御部34と、撹拌制御部36と、撹拌停止制御部37と、待機期間設定部38とを有して構成されている。
【００３３】
給湯運転制御部31と湯張り運転制御部32と追い焚き運転制御部33と保温制御部34はそれぞれの運転プログラムを持ち、それぞれ給湯運転と湯張り運転と追い焚き運転と保温動作の運転を制御する。なお、これらの各運転制御方式は前述した出願人が開発している一缶二水路複合器の制御動作と同様であるので、その説明は省略する。なお、保温制御部34が内蔵する注水制御部35は、浴槽水位が設定水位から許容範囲を越えて低下したときに足し湯したり、風呂設定温度が低めに変更されたときや、浴槽湯水の湯温が風呂設定温度よりも高いときに給湯熱交換器２側からバーナ燃焼を行わないで冷水を浴槽18に落とし込んだり、浴槽湯水の湯温が風呂設定温度よりも許容範囲を越えて低いときに、給湯熱交換器２側から温度の高い湯を差し湯として注水する動作を制御するものである。
【００３４】
撹拌制御部36は、前記注水制御部35による浴槽18への冷水や湯の注水動作が行われたときに、循環ポンプ10を駆動し、バーナ５を燃焼させない状態で、浴槽湯水を追い焚き循環通路23を介して循環し、浴槽湯水を撹拌して浴槽湯温を均一化する。
【００３５】
また、撹拌制御部36は、保温制御部34による保温制御動作に連動し、所定時間経過毎に浴槽湯温を検出する際に、バーナ５を燃焼させないで循環ポンプ17を駆動し、追い焚き循環通路23を通して浴槽湯水を循環させ、風呂温度センサ21により浴槽湯温を検出させる。
【００３６】
なお、撹拌制御部36は必要に応じ湯張り運転制御部32や追い焚き運転制御部33の制御動作に連動させ、バーナ５を燃焼させない状態で循環ポンプ17を駆動しての浴槽湯水の循環撹拌を行う（追い焚き運転時にはバーナ５を燃焼した状態で循環ポンプ17を駆動し、浴槽湯水の追い焚き循環を行うが、このバーナ５を燃焼させての浴槽湯水の追い焚き循環動作は追い焚き運転制御部33により行われる）。
【００３７】
撹拌停止制御部37は前記撹拌制御部36により浴槽湯水の循環撹拌が行われているときに、給湯運転の割り込み指令を給湯運転制御部31等から受けたときに、撹拌制御部36に浴槽湯水の循環撹拌動作の停止指令を加える。この停止指令を受けて、撹拌制御部36は循環ポンプ17を直ちに停止し、浴槽湯水の循環撹拌動作を停止する。撹拌停止制御部37は撹拌制御部36に撹拌停止指令を加えた後、待機期間設定部38から待機解除信号を受けたときに、撹拌制御部36へ撹拌再開信号を加える。この撹拌再開信号を受けて、撹拌制御部36はバーナ５を燃焼させない状態で循環ポンプ17を駆動し、浴槽湯水の循環撹拌動作を再開する。
【００３８】
待機期間設定部38は、給湯運転制御部31から、給湯運転の割り込み動作の終了信号を受けて、燃焼ファン５を高回転で駆動し、追い焚き熱交換器３を強制空冷する。なお、通常の給湯器（複合給湯器を含む）においては、給湯運転の終了後に、所定の短時間燃焼ファン５を低速で回転継続して燃焼室内の排気ガスを排出するポストパージを行うが、本実施形態例では、このポストパージのファン回転速度よりも高速で燃焼ファン５を回転し、追い焚き熱交換器３を短時間で空冷するようにしている。
【００３９】
待機期間設定部38は、前記燃焼ファン５の回転駆動を行っている状態で、追い焚き熱交換器３内の湯温の情報を温度センサ29から取り込み、予め与えられている判定基準温度（例えば45℃）と比較し、燃焼ファン５からの通風空冷により、追い焚き熱交換器内湯温が判定基準温度以下に低下したか否かを判別し、追い焚き熱交換器内湯温が判定基準温度以下に低下したときに、撹拌停止制御部37へ待機解除信号を加える。
【００４０】
第１実施形態例は上記のように構成されており、次にその特徴的な動作を説明する。注水制御部35を含む保温制御部34の制御動作に連動して、撹拌制御部36により、浴槽18への注水後にバーナ５を非燃焼状態で循環ポンプ17を駆動して浴槽湯水の循環撹拌を行っているとき、あるいは保温モードの動作で、浴槽湯水の温度を検出するために、同様にバーナ５を燃焼停止させた状態で循環ポンプ17を駆動して浴槽湯水を循環撹拌しているときに、給湯運転の割り込み指令が加えられたときには、撹拌停止制御部37から撹拌停止指令が出され、浴槽湯水の循環撹拌動作が停止される。この循環撹拌動作の停止により、浴槽湯水が給湯運転の割り込み動作によりバーナ燃焼が行われて加熱されている追い焚き熱交換器２を通って追い焚きされた湯が浴槽18内に入り込むことはないので、浴槽湯温が上昇してしまうという問題は防止される。
【００４１】
給湯運転の割り込み動作が終了すると、待機期間設定部38により燃焼ファン５が継続駆動されて追い焚き熱交換器３の強制空冷を行う。そして、温度センサ29により追い焚き熱交換器内湯温を検出し、この追い焚き熱交換器内湯温が判定基準温度以下に低下したとき、つまり、追い焚き熱交換器内の湯が浴槽18に入り込んでも浴槽湯温の上昇による影響が生じない程度の温度に低下したときに、待機解除信号を撹拌停止制御部37に加える。
【００４２】
撹拌停止制御部37はこの待機解除信号を受けて、撹拌再開信号を撹拌制御部36に加える結果、撹拌制御部36によりバーナ５を燃焼させない状態で循環ポンプ17を駆動しての浴槽湯水の循環撹拌を再開し、中断していた保温制御部34の保温モードの動作を再開させる。
【００４３】
この実施形態例によれば、撹拌制御部36により注水後の浴槽湯水撹拌や、浴槽湯水温度の検出を行うためにバーナ５を非燃焼状態で浴槽湯水の循環撹拌を行っている最中に、給湯運転の割り込み動作が行われたときには、直ちに循環ポンプ17が停止されて浴槽湯水の循環撹拌動作が停止されるので、浴槽湯水が給湯運転によりバーナ５の燃焼火力でもって加熱されている追い焚き熱交換器３を通って追い焚きされた湯が浴槽に入り込むということを防止できる。したがって、例えば、冷水を注水して浴槽湯温を下げようとしているにもかかわらず、浴槽湯水の循環撹拌中に追い焚きされてしまって浴槽湯温が高くなってしまうという問題を確実に防止できる。
【００４４】
しかも、給湯運転の割り込み動作が終了したときには、直ちに燃焼ファン５の強制空冷により追い焚き熱交換器３内の湯温が冷やされ、浴槽18内に入り込んでも支障のない判定基準温度以下となったときに撹拌制御部36による浴槽湯水の循環撹拌動作が再開されるので、この再開された浴槽湯水の循環撹拌時に追い焚き熱交換器３内の湯が浴槽18内に入り込んでも、浴槽湯温が許容範囲を越えて上昇してしまうということが防止され、浴槽18に入浴している者は違和感なく気持ち良く入浴することができる。なお、この実施形態例では、撹拌制御部36による浴槽湯水の循環撹拌中に給湯運転の割り込み動作が入ったときには、その割り込み動作が終了して追い焚き熱交換器内湯温が空冷により判定基準温度以下に低下するまで浴槽湯水の循環撹拌動作を待機するようにしたが、この浴槽湯水の待機期間は、必ずしもこれに限定されることはなく、例えば、給湯運転の割り込み終了後予め与えられる所定時間だけ待機させるようにしたり、あるいは、給湯運転の割り込み動作が終了したときに、浴槽湯水の循環撹拌動作を再開するようにしてもよい。
【００４５】
また、このような待機期間を設けず、浴槽湯水の循環撹拌中に給湯運転の割り込み動作が入ったときには、直ちにその循環撹拌動作を中止するようにしてもよい。
【００４６】
次に、本発明の第２実施形態例を説明する。この第２実施形態例は、図１の破線で示すように、水流センサ19の水流検出信号を利用し、撹拌制御部36によりバーナ５の燃焼停止状態で循環ポンプ17を駆動して浴槽湯水を追い焚き循環通路23を通して循環撹拌している動作中に、水流センサ19から水流検出信号が得られていない状態のときに、給湯運転の割り込み指令が加えられたときには、撹拌停止制御部37から撹拌停止信号を撹拌制御部36に加え、循環ポンプ17を停止して浴槽湯水の循環撹拌動作を停止するようにしたことを特徴としており、それ以外の構成は前記第１実施形態例と同様である。
【００４７】
すなわち、バーナ５の燃焼停止状態で浴槽湯水の循環撹拌を行っているにもかかわらず、水流センサ19から水流検出信号が出力されない状態というのは、浴槽水位が追い焚き循環通路23の循環口が水没するすれすれの水位のときに生じる場合が多い。このような場合のときには、循環ポンプ17を駆動して浴槽湯水の循環を行う際に、循環口から空気が混入し易く、空気が混入すると、循環流量が低減する。水流センサ19は作動流量（例えば４リットル）以上の流量に対し水流の検出が可能であるが、作動流量よりも小さい流量の場合には水流の検出ができない性質をもっている。
【００４８】
浴槽湯水の循環撹拌動作を行っているにもかかわらず、水流センサ19により水流が検出できない状態にあるときには、微小流量の浴槽水が追い焚き循環通路を循環している場合が考えられ、このような動作状態で、給湯運転の割り込みが行われると、バーナ５の給湯燃焼が行われるために、追い焚き循環通路を循環する微小流量の浴槽湯水は追い焚き熱交換器３を通るときに加熱されて、極端な場合には、沸騰寸前の高温となり、この高温が浴槽18内に入り込むことになるので、非常に危険となる。
【００４９】
第２実施形態例では、このような危険を回避するために、撹拌停止制御部37は水流センサ19から水流検出信号が加えられていない状態で撹拌制御部36によりバーナ５の燃焼停止状態で浴槽湯水の循環撹拌を行っている最中に、給湯運転の割り込み指令が出されたときには、直ちに撹拌停止信号を撹拌制御部36へ加えて浴槽湯水の循環撹拌動作を停止させる。
【００５０】
その一方で、待機期間設定部38は割り込みの給湯運転動作が終了したときに、燃焼ファン５を運転を継続させて追い焚き熱交換器３を強制的に空冷し、温度センサ29で検出される追い焚き熱交換器３内の湯温が判定基準温度以下に低下したときには、待機解除信号を撹拌停止制御部37へ加えるようにしている。そして、前記第１実施形態例と同様に撹拌停止制御部37から撹拌制御部36へ待機解除信号を供給し、中断していた浴槽湯水の循環撹拌動作を再開する。
【００５１】
この第２実施形態例においては、水流センサ19によって検出されない微小流量が追い焚き循環通路23を通して循環撹拌しているときに、給湯運転の割り込みが指令されたときには、直ちにその浴槽湯水の循環撹拌動作を停止するので、割り込みの給湯燃焼によって加熱されている追い焚き熱交換器３を通してその微小流量が高温加熱されて浴槽18内に入り込むということを防止でき、入浴者の安全を図ることが可能となる。
【００５２】
また、待機期間設定部38により浴槽18に吐出しても安全な判定基準温度以下に追い焚き熱交換器内湯温が低下したときに浴槽湯水の循環撹拌を再開するので、その浴槽湯水の循環撹拌時に浴槽18内に人が入浴していても、高温の湯に触れるということはなく、安全上特に問題は生じない。
【００５３】
なお、この第２実施形態例においても、浴槽湯水の循環撹拌動作を再開するタイミングとしては、必ずしも追い焚き熱交換器３内の湯温が判定基準温度に低下するまで待機させる構成としなくともよく、割り込みの給湯運転が終了したとき、あるいはその割り込み給湯運転の終了後所定の時間経過後に撹拌制御部36による浴槽湯水の循環撹拌を再開させるようにしてもよい。
【００５４】
本発明は上記各実施形態例に限定されることはなく、様々な実施の形態を採り得るものであり、例えば、上記各実施形態例では、図２に示す如く、湯張り機能を備えた一缶二水路複合器を対象にして説明したが、湯張り通路24を省略し、給湯熱交換器２側からの湯張り機能を省略した器具においても適用できるものである。この場合には、例えば、図２に示す湯張り通路24を注水通路として機能させ、この注水通路の入口側を水道等の給水源に接続することにより、制御装置27により弁25を開けて浴槽18へ冷水の注水動作を行わせることが可能となる。
【００５５】
【発明の効果】
本発明における一缶二水路複合器およびその制御方法によれば、浴槽への注水後にバーナの非燃焼状態で浴槽湯水の循環撹拌を行っているときに、給湯運転の割り込み指令が出されたときには、直ちにその浴槽湯水の循環撹拌動作を中止するか、あるいは、少なくとも割り込みの給湯運転動作が終了するまで、又は、給湯運転の割り込み動作が終了してから燃焼ファンにより追い焚き熱交換器を強制的に空冷し、追い焚き熱交換器内湯温が判定基準温度以下に低下するまで待機してから浴槽湯水の循環撹拌動作を再開するように構成したものであるから、例えば、冷水を注水して浴槽湯温を低下する方向に動作させたにもかかわらず、その注水後の循環撹拌時に割り込みの給湯燃焼によって追い焚きがされてしまうという従来の問題を確実に解消することが可能となる。
【００５６】
同様に、足し湯の注水後の浴槽湯水の撹拌循環を行う場合にも、さらには、保温モード時の浴槽湯水湯温の検出のために浴槽湯水の循環撹拌を行う場合にも、給湯運転の割り込み指令が出されたときには同様に浴槽湯水の循環撹拌動作が停止されるので、給湯割り込みのバーナ燃焼の加熱を受けて追い焚きがされてしまうという問題を防止できる。
【００５７】
さらに、追い焚き循環通路の循環口が水没するすれすれの浴槽水位であるような場合に、水流センサにより水流検出がされない微小流量がバーナの非燃焼状態で追い焚き循環通路を循環しているような場合に給湯運転の割り込み指令が出されたときには、同様にその浴槽湯水の循環撹拌動作を中止するか、あるいは少なくとも割り込みの給湯運転が終了するまで、又は割り込みの給湯運転動作が終了した後燃焼ファンによる追い焚き熱交換器の空冷がされて、追い焚き熱交換器内湯温が高温吐出する心配のない安全な判定基準温度以下に低下するまで待機する構成としたものにあっても、微小流量の循環撹拌湯水が割り込みの給湯燃焼によって追い焚きされて高温の湯となって浴槽に入り込むという現象を防止できることとなり、入浴者に対する安全を図ることが可能となる。
【図面の簡単な説明】
【図１】本発明における実施形態例の要部を示すブロック図である。
【図２】一缶二水路複合器のシステム構成図である。
【符号の説明】
17  循環ポンプ
19  水流センサ
23  追い焚き循環通路
34  保温制御部
35  注水制御部
36  撹拌制御部
37  撹拌停止制御部
38  待機期間設定部
【図１】
0003776991.tif 000002
【図２】
0003776991.tif 000003